(57)【要約】【課題】住宅のベランダなど比較的狭い場所に簡単に取り付け設置して受信できる、小型軽量で扱いやすい受信アンテナ装置を提供することを目的とする。【解決手段】２つのループ素子（以下、双ループ）１，２と後方に配置した反射板３と、双ループ１，２を固定金具４で固定する支持具５と、支持具５を固定する支柱７と、双ループ１，２と接続し接続端子９を備え信号を伝送する同軸ケーブル８と、反射板３、支柱７を固定し更にマスト１４に取り付け固定する背面金具１２と、背面金具１２にマスト１４を挟み込み固定する押さえ金具１３とを備えた構成により、双ループアンテナ装置として実現できる。【選択図】図１
2005110164.tif 000002
【特許請求の範囲】
【請求項１】
ループ状に形成させ互いに上下に向き合わせた２つのループ素子（以下、「双ループ」という。）と、前記双ループの後方に配置した反射板と、前記双ループと前記反射板の間の中心部に双ループを固定金具で固定する支持具と、前記支持具を覆うカバーケースと、前記支持具を固定する支柱と、前記支持具、支柱の内側を通り前記双ループより受信したＵＨＦ帯信号を伝送する同軸ケーブルと、前記反射板、支柱を固定し更にマストに取り付け固定する背面金具と、前記背面金具とともに前記マストを挟み込む押さえ金具とを備えた双ループアンテナ装置。
【請求項２】
双ループは、両先端部に直線部を設け、互いに平行に向き合わせたことを特徴とする請求項１記載の双ループアンテナ装置。
【請求項３】
反射板は、曲面をもった形状に形成し端面全周にフランジ部を備え、反射板全体の強度を増した形状に形成したことを特徴とする請求項１記載の双ループアンテナ装置。
【請求項４】
同軸ケーブルは一端の芯線と編組線に各々接続端子を備え他端に防水キャップおよびＦ型接栓を備え、双ループの先端部と前記接続端子とを接続し背面金具に前記Ｆ型接栓を取り付け固定することにより反射板後方より信号を取り出すことを特徴とする請求項１記載の双ループアンテナ装置。
【請求項５】
外周に凹形溝を形成したカバーケースと、外周に凸形突起を形成した支持具とを嵌合させることを特徴とする請求項１記載の双ループアンテナ装置。
【請求項６】
背面金具は、押さえ金具と共に挟み込んでマストに取り付けるためにＭ形状に形成したことを特徴とする請求項１記載の双ループアンテナ装置。
【請求項７】
反射板、支柱、背面金具、押さえ金具は防錆処理を施していることを特徴とする請求項１記載の双ループアンテナ装置。
【発明の詳細な説明】
【技術分野】
【０００１】
本発明は、ＵＨＦ帯の電波を受信する双ループアンテナに関するものである。
【背景技術】
【０００２】
従来、ＵＨＦ帯アンテナとしては、屋根の上などに設置して電波を受信する八木アンテナがある。八木アンテナの構成は、放射器、導波器、反射器、支持棒で構成されている（例えば特許文献１参照。）。また八木アンテナが実際に屋根の上に設置されている例としては、例えば特許文献２を参照されたい。また従来の双ループアンテナとしては、ループ素子、反射板、支持部材で構成されている（例えば特許文献３参照。）。
【特許文献１】実開平０３−４６２０８号公報（第１図）
【特許文献２】登録実用新案第２６０２０５８号公報（第２図）
【特許文献３】特開２００３−１３３８４０号公報（第１図）
【発明の開示】
【発明が解決しようとする課題】
【０００３】
しかしながら、前記従来の八木アンテナはＵＨＦ帯受信アンテナとしては一般的に広く普及し標準アンテナになっているが、屋根の上など高い所に設置するため設置工事に手間がかかっている。また構造的に水平方向に長いためにスペースをとり扱いにくい面がある。特に個人住宅向けの設置については、スペースをとらず扱いやすい小型軽量で簡単に設置できるアンテナ装置が要望されてきている。双ループアンテナについては、前記特許文献２に記載されている構成は、実際に取り付け設置して受信可能となるアンテナ装置としての構成になっていない。
【０００４】
本発明は上記課題を解決するもので、住宅のベランダなど比較的狭い場所に簡単に取り付け設置して受信できる、小型軽量で扱いやすい受信アンテナ装置を提供することを目的としている。
【課題を解決するための手段】
【０００５】
前記従来の課題を解決するために、本発明の双ループアンテナ装置は、上下互いに向き合わせた２つのループ素子と、後方に配置した反射板と、前記双ループを固定する支持具と、前記支持具を覆うカバーケースと、前記支持具を固定する支柱と、前記ループより受信した信号伝送する同軸ケーブルと、前記反射板、支柱を固定し更にマストに取り付け固定する背面金具と、前記背面金具を前記マストに挟み込む押さえ金具とを備えた構成により上記課題を解決できるものである。
【発明の効果】
【０００６】
以上のように、本発明の双ループ装置によれば、従来の八木アンテナのように屋根の上での設置工事をする必要もなく、小型軽量で扱いやすくスペースをとらないため、ベランダなどの比較的狭い場所でも簡単に取り付け設置が出来てＵＨＦ帯放送の電波を受信可能にする。
【発明を実施するための最良の形態】
【０００７】
以下に、本発明の実施の形態について、図面を参照しながら説明する。
【０００８】
（実施の形態１）
図１は本発明の実施の形態１における構成部品を示した図である。上下に互いに向かい合わせたループ素子（以下、「双ループ」という。）１、２を示し、先端部は平行に直線部１ａ，２ａを設けている。後方には反射板３を配置し、反射板３は曲面３ａをもった形状に形成し、更に端面周囲をカーリング加工３ｂにより反射板全体の強度を増した形状に形成している。反射板３はねじ１７で固定する。双ループ１，２と反射板３の間の中心部には双ループ１，２を固定具４でねじ１６で固定する支持具５と、支持具５を覆うカバーケース６と、支持具５をねじ１９固定する支柱７と、支持具５と支柱７を介して双ループ１，２で受信したＵＨＦ帯信号を伝送する同軸ケーブル８を示している。同軸ケーブル８は、一端には双ループ１，２と接続する接続端子９を設け他端には信号を出力するＦ型接栓１０と、雨水などの水の浸入を防ぐ防水キャップ１１を設けている。接続端子９はねじ１８で支持具５に固定する。Ｆ型接栓１０は、反射板３と支柱７を固定し更にマスト１４に取り付け固定する背面金具１２に取り付けて信号を取り出すようにしている。支柱７はねじ２０で背面金具１２に固定する。背面金具１２をベランダなどの手すり、格子に取り付けたマスト１４に押さえ金具１３で挟み込みねじ１５で締め付け固定する。
【０００９】
図２は、双ループ１，２の両先端部に直線部１ａ，１ｂを設け、互いに向き合わせ形成している。本発明の双ループ１，２の直径は約１８０ｍｍで材質は直径約３ｍｍのステンレス線を使用している。
【００１０】
図３は、反射板３の面を曲面３ａの形状に形成し、更に端面全周にフランジ部を備えカーリング加工３ｂにより反射板３全面の強度を増した形状に形成した状態を示す。
本発明の反射板３の寸法は、幅約３００ｍｍ、高さ約４２０ｍｍで材質はアルミニュームで板厚約０．７ｍｍを使用している。手軽に持ち運びが可能で小型軽量化を図っている。
【００１１】
図４は、受信した信号を伝送する同軸ケーブル８の先端部の芯線８ａ、と編組線８８ｂに各々接続端子９を備え、他端にＦ型接線１０、と防水キャップ１１を備えた状態を示す。
【００１２】
図５は、ケースカバー６の支持具５と嵌合する外周に凹形溝６ａを形成し、支持具５の外周に葉には凸形溝５ａを形成して支持具５の内部に水の浸入を防ぐ嵌合外周部の断面図を示す。
【００１３】
図６は、反射板３、支柱７を固定し、マスト１４に取り付け可能にするＭ形１２ａ形状に形成し、更にＦ型接栓１０を取り付け固定し、マスト１４に押さえ金具１３をマスト固定ねじ１５で挟み込んだ背面金具１２の側面からみた状態を示す。
【００１４】
図７は上記、図６記載の上からみた平面図を示す。
【産業上の利用可能性】
【００１５】
本発明にかかる双ループアンテナ装置は、以上のように、従来の八木アンテナのように屋根の上での設置工事をする必要もなく、小型軽量で扱いやすくスペースをとらないため、ベランダなどの比較的狭い場所でも簡単に取り付け設置が出来てＵＨＦ帯放送の電波を受信可能にするものであり、本発明は、ＵＨＦ帯の電波を受信する双ループアンテナにおいて有用である。
【図面の簡単な説明】
【００１６】
【図１】本発明の実施形態１における構成を示した斜視図
【図２】本発明の実施形態１における双ループアンテナ平面図
【図３】本発明の実施形態１における反射板のカーリング加工断面図
【図４】本発明の実施形態１における同軸ケーブルの斜視図
【図５】本発明の実施形態１におけるカバーケースと支持具の外周嵌合を示す断面図
【図６】本発明の実施形態１におけるマストに背面金具と押さえ金具で挟み込んだ状態を示す側面図
【図７】本発明の実施形態１におけるマストに背面金具と押さえ金具で挟み込んだ状態を示す平面図
【符号の説明】
【００１７】
１    ループ素子（上）
１ａ    ループ素子（上）直線部
２    ループ素子（下）
２ａ    ループ素子（下）直線部
３    反射板
３ａ    反射板曲面
３ｂ    反射板端面全周カーリング加工
４    固定具
５    支持具
５ａ    支持具凸形突起
６    カバーケース
６ａ    カバーケース凹形溝
７    支柱
８    同軸ケーブル
８ａ    同軸ケーブル芯線
８ｂ    同軸ケーブル編組線
９    接続端子
１０    Ｆ型接栓
１１    防水キャップ
１２    背面金具
１３    押さえ金具
１４    マスト
１５    マスト固定ねじ
１６    固定具固定ねじ
１７    反射板固定ねじ
１８    端子金具固定ねじ
１９    支持具固定ねじ
２０    支柱固定ねじ
【図１】
2005110164.tif 000003
【図２】
2005110164.tif 000004
【図３】
2005110164.tif 000005
【図４】
2005110164.tif 000006
【図５】
2005110164.tif 000007
【図６】
2005110164.tif 000008
【図７】
2005110164.tif 000009